(57)【要約】      （修正有）【課題】専用のクロック回線を設けることなく、ＳＤＨ／ＳＯＮＥＴ装置などの同期伝送装置をＬＡＮ網など非同期伝送網を介してエラーフリーで接続することが可能な同期／非同期変換装置およびクロック制御方法を提供する。【解決手段】同期伝送網から受信したデータを前記非同期伝送網に出力する送信処理部と、前記非同期伝送網から受信したデータをバッファを介して前記同期伝送網に出力する受信処理部と、前記バッファ使用量の増減を監視するバッファ監視手段と、前記バッファ監視手段の出力に応じて前記バッファから読み出すクロックを可変するクロック制御手段とを設け、前記クロック制御手段は、前記バッファ使用量が増加する場合は前記バッファから読み出すクロックを速くし、前記バッファ使用量が減少する場合は前記バッファから読み出すクロックを遅くする。【選択図】    図１
2007235217.tif 000002
【特許請求の範囲】
【請求項１】
マスタクロックを有しない同期伝送網と、非同期伝送網とを接続する同期／非同期変換装置において、
前記同期伝送網から受信したデータを前記非同期伝送網に出力する送信処理部と、
前記非同期伝送網から受信したデータをバッファを介して前記同期伝送網に出力する受信処理部と、
前記バッファ使用量の増減を監視するバッファ監視手段と、
前記バッファ監視手段の出力に応じて前記バッファから読み出すクロックを可変するクロック制御手段と
を設け、
前記クロック制御手段は、前記バッファ使用量が増加する場合は前記バッファから読み出すクロックを速くし、前記バッファ使用量が減少する場合は前記バッファから読み出すクロックを遅くすることを特徴とする同期／非同期変換装置。
【請求項２】
マスタクロックを有しない同期伝送網と、非同期伝送網とを接続する同期／非同期変換装置において、
前記同期伝送網から受信したデータを前記非同期伝送網に出力する送信処理部と、
前記非同期伝送網から受信したデータをバッファを介して前記同期伝送網に出力する受信処理部と、
前記バッファ使用量の増減を監視するバッファ監視手段と、
前記バッファ監視手段の出力に応じて、前記バッファから読み出すクロックを供給する装置クロック制御部と
を設けたことを特徴とする同期／非同期変換装置。
【請求項３】
請求項１または２に記載の同期／非同期変換装置において、
前記バッファ監視手段は、前記バッファ使用量が増加する場合は前記装置クロック制御部に直ぐにクロックを速くするよう出力し、前記バッファ使用量が減少する場合は前記装置クロック制御部に直ぐにクロックを遅くするよう出力することを特徴とする同期／非同期変換装置。
【請求項４】
請求項１または２に記載の同期／非同期変換装置において、
前記装置クロック制御部に統計処理部を設け、
前記統計処理部は、前記バッファ監視手段が出力する情報を予め定められた期間で統計処理を行い、該統計処理の結果に応じて、前記装置クロック制御部が出力するクロックの速さを増減することを特徴とする同期／非同期変換装置。
【請求項５】
請求項１または２に記載の同期／非同期変換装置において、
前記バッファ監視手段は、前記バッファ使用量が前記バッファ容量の全容量に近づいた場合は前記装置クロック制御部にクロックを速くするよう出力し、前記バッファ使用量がゼロに近づいた場合は前記装置クロック制御部にクロックを遅くするよう出力することを特徴とする同期／非同期変換装置。
【請求項６】
請求項１または２に記載の同期／非同期変換装置において、
前記バッファ監視手段は、前記バッファ使用量がオーバーフローした場合は前記装置クロック制御部にクロックを速くするよう出力し、前記バッファ使用量がアンダーフローした場合は前記装置クロック制御部にクロックを遅くするよう出力することを特徴とする同期／非同期変換装置。
【請求項７】
マスタクロックを有する同期伝送網に接続された第１の同期／非同期変換装置と、マスタクロックを有しない同期伝送網に接続された第２の同期／非同期変換装置とを非同期伝送網を介して接続する同期／非同期変換装置において、
前記第１の同期／非同期変換装置に、前記第２の同期／非同期変換装置から受信する受信フレーム監視手段と、タイミングパケット生成送出手段とを設け、
前記第２の同期／非同期変換装置に、タイミングパケット受信手段と、前記マスタクロックを有しない同期伝送網にデータを出力するクロックを制御するクロック制御手段とを設け、
前記受信フレーム監視手段は、定期的に送られてくる単位時間内のフレーム数を前記タイミングパケット生成送出手段によって前記第２の同期／非同期変換装置に送信し、
前記タイミングパケット受信手段は、受信したタイミングパケットの情報を前記クロック制御手段に出力し、
前記クロック制御手段は、単位時間内のフレーム数が多い場合はクロックを遅くし、単位時間内のフレーム数が少ない場合はクロックを速くすることを特徴とする同期／非同期変換装置。
【請求項８】
マスタクロックを有しない同期伝送網と、非同期伝送網とを接続する同期／非同期変換装置のクロック制御方法において、
前記同期伝送網から受信したデータを前記非同期伝送網に出力する送信処理部と、
前記非同期伝送網から受信したデータをバッファを介して前記同期伝送網に出力する受信処理部と、
前記バッファ使用量の増減を監視するバッファ監視手段と、
前記バッファ監視手段の出力に応じて、前記バッファから読み出すクロックを供給する装置クロック制御部と、
前記装置クロック制御部に統計処理部を設け、
前記統計処理部は、前記バッファ監視手段が出力する情報を予め定められた期間で統計処理を行い、該統計処理の結果に応じて、前記装置クロック制御部が出力するクロックの速さを増減するよう制御することを特徴とする同期／非同期変換装置のクロック制御方法。
【請求項９】
請求項８に記載の同期／非同期変換装置のクロック制御方法において、
前記バッファ監視手段は、前記バッファ使用量がオーバーフローした場合は前記装置クロック制御部にクロックを速くするよう出力し、前記バッファ使用量がアンダーフローした場合は前記装置クロック制御部にクロックを遅くするよう出力することを特徴とする同期／非同期変換装置のクロック制御方法。
【発明の詳細な説明】
【技術分野】
【０００１】
同期伝送装置であるＳＤＨ／ＳＯＮＥＴ装置をＬＡＮ（Ｌocal Ａrea Ｎetwork）網を介して接続するための同期／非同期変換装置およびクロック制御方法に関する。
【背景技術】
【０００２】
近年、インターネットが急速に普及し、ＩＰ（Ｉnternet Ｐrotocol）パケットを使用するオフィス内のＬＡＮを相互接続してＷＡＮ（Ｗide Ａrea Ｎetwork）を構築するのが一般的である。ＬＡＮで使用されるＩＰパケットはＩＥＥＥ８０２．３に定められる非同期通信であるが、ＬＡＮ間を接続する通信事業者の専用線においては、ＩＴＵ−Ｔ（国際電気通信連合）の定める国際標準規格であるＳＤＨ（Ｓynchronous Ｄigital Ｈierarchy）あるいは米国標準規格であるＳＯＮＥＴ（Ｓynchronous Ｏptical ＮＥＴwork）などの同期伝送方式が用いられている。（非特許文献１のＩＴＵ−Ｔ勧告Ｇシリーズ参照）
一方で、インターネットの普及に伴って、ＬＡＮ間をそのままＩＰパケットで接続してＷＡＮを構築できるＬＡＮ網のサービスを提供する通信事業者が増加してきている。特に、拠点間の距離によって料金体系が異なるＳＤＨ／ＳＯＮＥＴなど従来のサービスに対して、広域のＬＡＮ網のサービスは価格が安く、サービスエリア内であれば距離に関係なく定額のものもあり、コストメリットが大きくなっている。さらに、設備投資コストも同期網対応の設備に比べると、普及しているＬＡＮ対応の設備の方が割安な場合が少なくない。
【０００３】
このように、ＳＤＨ／ＳＯＮＥＴなど既存の専用線サービスがある一方で、割安なＬＡＮ網のサービス（広域ＬＡＮ網など）が急速に普及してきており、既存の同期通信網の代わりに非同期のＬＡＮ網を擬似的に利用するシステムが求められている。
図１１（ａ）は、一般的なＳＤＨ／ＳＯＮＥＴ伝送路９０１を介して、ＳＤＨ装置７５１とＳＤＨ装置７５５とを接続する通信システムを示す。ＳＤＨ装置７５１はマスタＣＬＫ７５６から同期クロックが供給され、同期クロックは伝送データと共にＳＤＨ／ＳＯＮＥＴ伝送路９０１を介してＳＤＨ装置７５５に送られ、ＳＤＨ装置７５５はＳＤＨ／ＳＯＮＥＴ伝送路９０１から受ける同期クロックで動作して、お互いに通信することができる。
【０００４】
しかし、ＳＤＨ／ＳＯＮＥＴ伝送路９０１を使用せずに、安価なＬＡＮ網７５３を介してＳＤＨ装置を接続しようとすると、図１１（ｂ）に示すように、同期／非同期変換装置（ＳｏＥ装置）が必要となる。ここで、ＳｏＥはＳＤＨ／ＳＯＮＥＴ ｏver Ｅthernet（登録商標）の略で、ＳＤＨ伝送装置をＬＡＮ網７５３を介して通信できるようにする変換装置である。同図において、ＳＤＨ伝送装置７５１が入出力するＳＤＨデータはＳｏＥ装置７５７でＬＡＮパケットに変換されてＬＡＮ網７５３を介して通信先のＳｏＥ装置７５８に接続される。ＳｏＥ装置７５８は送受信するＬＡＮパケットをＳＤＨデータに変換して、ＳＤＨ伝送装置７５５に入出力する。ところが、ＳＤＨ伝送装置７５１とＳｏＥ装置７５７はマスタＣＬＫ７５６から基準となるマスタクロックが供給されるが、ＬＡＮ網７５３は非同期通信網なのでクロック伝送は行われないため、別系統のクロック専用線を用意して、通信先のＳｏＥ装置７５８とＳＤＨ伝送装置７５５とに同期クロックを供給するようになっていた。
【非特許文献１】ＩＴＵ−Ｔ勧告Ｇシリーズ標準書（Ｇ．７７４シリーズ）
【発明の開示】
【発明が解決しようとする課題】
【０００５】
ところが、非特許文献１のＩＴＵ−Ｔ勧告Ｇ．７７４シリーズに記載されているように、ＳＤＨ／ＳＯＮＥＴなどに接続する伝送装置は、網側から同期クロックの供給を受け、これに同期させてデータを送受信する必要がある。これに対して、ＬＡＮ網では、情報を送る時だけ物理層にデータを載せるバースト通信などが行われ、常時、同期クロックを伝送する必要がない。そのため、既設のＳＤＨ／ＳＯＮＥＴ装置をＬＡＮ網に接続するには、ＳＤＨ／ＳＯＮＥＴ装置を動作させるためのクロックを伝送する伝送路が別途必要になり、ＬＡＮ網を利用するためにクロック用の専用線を準備しなければならないという問題が生じ、逆にコスト高になるという問題がある。
【０００６】
また、ＬＡＮ網を介してデータ伝送すると、パケットの伝送経路などによってパケットの到着時間が異なるため、送信側のデータ間隔と受信側のデータ間隔とにずれが生じる。このような、ゆらぎが大きくなると、対応できなくなり、データエラーが発生する。
上記に鑑み、本発明の目的は、専用のクロック回線を設けることなく、ＳＤＨ／ＳＯＮＥＴ装置などの同期伝送装置をＬＡＮ網など非同期伝送網を介してエラーフリーで接続することが可能な同期／非同期変換装置およびクロック制御方法を提供することにある。
【課題を解決するための手段】
【０００７】
請求項１に係る発明は、マスタクロックを有しない同期伝送網と、非同期伝送網とを接続する同期／非同期変換装置において、前記同期伝送網から受信したデータを前記非同期伝送網に出力する送信処理部と、前記非同期伝送網から受信したデータをバッファを介して前記同期伝送網に出力する受信処理部と、前記バッファ使用量の増減を監視するバッファ監視手段と、前記バッファ監視手段の出力に応じて前記バッファから読み出すクロックを可変するクロック制御手段とを設け、前記クロック制御手段は、前記バッファ使用量が増加する場合は前記バッファから読み出すクロックを速くし、前記バッファ使用量が減少する場合は前記バッファから読み出すクロックを遅くすることを特徴とする。
【０００８】
請求項２に係る発明は、マスタクロックを有しない同期伝送網と、非同期伝送網とを接続する同期／非同期変換装置において、前記同期伝送網から受信したデータを前記非同期伝送網に出力する送信処理部と、前記非同期伝送網から受信したデータをバッファを介して前記同期伝送網に出力する受信処理部と、前記バッファ使用量の増減を監視するバッファ監視手段とを設けた。さらに、前記バッファ監視手段の出力に応じて、前記バッファから読み出すクロックを供給する装置クロック制御部を設けたことを特徴とする。
【０００９】
請求項３に係る発明は、請求項１または２に記載の同期／非同期変換装置において、前記バッファ監視手段は、前記バッファ使用量が増加する場合は前記装置クロック制御部に直ぐにクロックを速くするよう出力し、前記バッファ使用量が減少する場合は前記装置クロック制御部に直ぐにクロックを遅くするよう出力することを特徴とする。
請求項４に係る発明は、請求項１または２に記載の同期／非同期変換装置において、前記装置クロック制御部に統計処理部を設け、前記統計処理部は、前記バッファ監視手段が出力する情報を予め定められた期間で統計処理を行い、該統計処理の結果に応じて、前記装置クロック制御部が出力するクロックの速さを増減することを特徴とする。
【００１０】
請求項５に係る発明は、請求項１または２に記載の同期／非同期変換装置において、前記バッファ監視手段は、前記バッファ使用量が前記バッファ容量の全容量に近づいた場合は前記装置クロック制御部にクロックを速くするよう出力し、前記バッファ使用量がゼロに近づいた場合は前記装置クロック制御部にクロックを遅くするよう出力することを特徴とする。
【００１１】
請求項６に係る発明は、請求項１または２に記載の同期／非同期変換装置において、前記バッファ監視手段は、前記バッファ使用量がオーバーフローした場合は前記装置クロック制御部にクロックを速くするよう出力し、前記バッファ使用量がアンダーフローした場合は前記装置クロック制御部にクロックを遅くするよう出力することを特徴とする。
請求項７に係る発明は、マスタクロックを有する同期伝送網に接続された第１の同期／非同期変換装置と、マスタクロックを有しない同期伝送網に接続された第２の同期／非同期変換装置とを非同期伝送網を介して接続する同期／非同期変換装置において、前記第１の同期／非同期変換装置に、前記第２の同期／非同期変換装置から受信する受信フレーム監視手段と、タイミングパケット生成送出手段とを設け、前記第２の同期／非同期変換装置に、タイミングパケット受信手段と、前記マスタクロックを有しない同期伝送網にデータを出力するクロックを制御するクロック制御手段とを設けた。そして、前記受信フレーム監視手段は、定期的に送られてくる単位時間内のフレーム数を前記タイミングパケット生成送出手段によって前記第２の同期／非同期変換装置に送信し、前記タイミングパケット受信手段は、受信したタイミングパケットの情報を前記クロック制御手段に出力し、前記クロック制御手段は、単位時間内のフレーム数が多い場合はクロックを遅くし、単位時間内のフレーム数が少ない場合はクロックを速くすることを特徴とする。
【００１２】
請求項８に係る発明は、マスタクロックを有しない同期伝送網と、非同期伝送網とを接続する同期／非同期変換装置のクロック制御方法において、前記同期伝送網から受信したデータを前記非同期伝送網に出力する送信処理部と、前記非同期伝送網から受信したデータをバッファを介して前記同期伝送網に出力する受信処理部と、前記バッファ使用量の増減を監視するバッファ監視手段と、前記バッファ監視手段の出力に応じて、前記バッファから読み出すクロックを供給する装置クロック制御部と、前記装置クロック制御部に統計処理部を設けた。ここで、前記統計処理部は、前記バッファ監視手段が出力する情報を予め定められた期間で統計処理を行い、該統計処理の結果に応じて、前記装置クロック制御部が出力するクロックの速さを増減するよう制御することを特徴とする。
【００１３】
請求項９に係る発明は、請求項８に記載の同期／非同期変換装置のクロック制御方法において、前記バッファ監視手段は、前記バッファ使用量がオーバーフローした場合は前記装置クロック制御部にクロックを速くするよう出力し、前記バッファ使用量がアンダーフローした場合は前記装置クロック制御部にクロックを遅くするよう出力することを特徴とする。
【発明の効果】
【００１４】
本発明に係る同期／非同期変換装置およびクロック制御方法は、マスタクロックを有する同期伝送網に接続された同期／非同期変換装置から非同期伝送網を介して接続されたマスタクロックを有しない同期／非同期変換装置を、常に、マスタクロックを有する同期伝送網のクロックに追従させることができ、バッファのオーバーフローやアンダーフローによる伝送エラーを防止することができる。また、非同期伝送網で生じたゆらぎによる影響もバッファの制御で少なくできる。
【００１５】
これによって、既設のＳＤＨ／ＳＯＮＥＴ装置をそのまま広域のＬＡＮ網で利用でき、設備コストや通信コストの低減が可能となる。
【発明を実施するための最良の形態】
【００１６】
本発明に係る同期／非同期変換装置およびクロック制御方法の実施形態について説明するが、先ず、同期／非同期変換装置を用いる通信システム全体の構成について、図９を用いて説明する。尚、同図の構成は、全ての実施形態に共通である。同図において、７５１はＳＤＨ伝送装置あるいはＳＤＨ／ＳＯＮＥＴ網、７５２はマスタクロックを有する同期／非同期変換装置（ＳｏＥ装置）、７５３は非同期通信網であるＬＡＮ網、７５４はマスタクロックを有しないＳｏＥ装置、７５５はＳＤＨ伝送装置あるいはＳＤＨ／ＳＯＮＥＴ網、７５６はマスタＣＬＫをそれぞれ示す。
【００１７】
マスタＣＬＫ７５６を有する側のＳＤＨ伝送装置７５１とＳｏＥ装置７５２は、マスタクロックがマスタＣＬＫ７５６から供給されており、この同期タイミングに合わせて動作する。ところが、マスタクロックを有しない側のＳＤＨ伝送装置７５５とＳｏＥ装置７５４には、マスタクロックが供給されないので、ＳｏＥ装置７５４はＳＤＨ伝送装置７５５に同期クロックを供給しなければならない。以下に述べる第１から第６の実施形態は、マスタクロックを有しないＳｏＥ装置７５４に関するものである。
【００１８】
（第１の実施形態）
図１は、本発明に係る第１の実施形態のＳｏＥ装置１０１の構成を示すブロック図である。ＳｏＥ装置１０１は、受信ＬＡＮフレームからクロック抽出して装置制御を行うクロック処理系と、このクロック処理系とは独立して受信ＬＡＮフレームから分解したＳＤＨデータを蓄積するバッファの監視を行い、バッファの読み出し速さを制御する専用のＰＬＬを設けて、バッファの読み出し量が一定になるようにＰＬＬにフイードバックする主信号処理系とで構成されている。
【００１９】
同図において、１０２はＳｏＥ装置１０１を構成する主信号処理部、１０３は主信号処理部１０２から出力される受信パケット情報あるいはバッファ情報のいずれかの情報からクロックの速さを制御する情報を抽出するＣＬＫ抽出部、１０４はＳｏＥ装置１０１内の各部にクロックを供給するＣＬＫ部である。
ＣＬＫ部１０４において、１２１はＲＥＦ生成部、１２２はＰＬＬ、１２３はクロックを装置内に分配して供給するＣＬＫ分配部をそれぞれ示す。ＲＥＦ生成部１２１は、ＣＬＫ抽出部１０３が出力するクロックの速さを制御する情報に応じて、リファレンスクロックを生成する。ＰＬＬ１２２はＲＥＦ生成部１２１が出力するリファレンスクロックでＰＬＬ動作を行い、ＶＣＯ（図示せず）でクロックを発生させる。ＰＬＬ１２２で発生したクロックは、ＣＬＫ分配部１２３で装置内の必要箇所に供給される。
【００２０】
主信号処理部１０２において、１０６はＬＡＮ網から受信パケットデータ１０５を入力するＬＡＮ終端部、１０７はＬＡＮ終端部１０６が受信したＬＡＮパケットをＩＥＥＥ８０２．３の規定に従って処理する受信パケット処理部、１０８はＬＡＮパケットを分解してカプセリングされているＳＤＨデータを取り出して送信するカプセル分離／ＳＤＨ送出部、１０９はカプセル分離／ＳＤＨ送出部１０８が送出のタイミングに合わせるためにカプセル分離したＳＤＨデータを一旦保持しておくバッファ、１１０はＳＤＨデータを時分割多重（ＴＤＭ）して外部に接続されたＳＤＨ／ＳＯＮＥＴ伝送装置あるいはＳＤＨ／ＳＯＮＥＴ網に出力するＳＤＨ／ＴＤＭ終端部をそれぞれ示す。ＬＡＮ網から受信する受信パケットデータ１０５は、ＬＡＮ終端部１０６，受信パケット処理部１０７，カプセル分離／ＳＤＨ送出部１０８およびＳＤＨ／ＴＤＭ終端部１１０の順に処理されてＳＤＨデータに変換される。
【００２１】
また、１１１は外部に接続されたＳＤＨ／ＳＯＮＥＴ伝送装置あるいはＳＤＨ／ＳＯＮＥＴ網（図示せず）からＳＤＨデータを入力するＳＤＨ／ＴＤＭ終端部、１１２は入力したＳＤＨデータをＩＥＥＥ８０２．３の規定に従ってＬＡＮパケットにカプセリングするＳＤＨ受信／カプセル化部、１１３はカプセル化されたＬＡＮパケットを送出する送信パケット処理部、１１４は送信パケットデータ１１５をＬＡＮ網に送信するＬＡＮ終端部をそれぞれ示す。尚、ＳＤＨ／ＴＤＭ終端部１１０および１１１はＳＤＨの物理層のインターフェースを行う部分、ＬＡＮ終端部１０６および１１４はＬＡＮの物理層のインターフェースを行う部分である。ＳＤＨ／ＳＯＮＥＴ装置から入力するＳＤＨデータは、ＳＤＨ／ＴＤＭ終端部１１０，ＳＤＨ受信／カプセル化部１１２，送信パケット処理部１１３およびＬＡＮ終端部１１４の順に処理されてＬＡＮパケットデータに変換される。このようにして、ＳＤＨ／ＳＯＮＥＴ伝送装置あるいはＳＤＨ／ＳＯＮＥＴ網に送受信するＳＤＨデータをＬＡＮパケットデータに変換してＬＡＮ網を介して送受信できる。
【００２２】
次に、クロック処理方法について説明する。主信号処理部１０２において、１１６はバッファ監視部、１１７はＣＬＫ変動分抽出部、１１８は周波数補正部、１１９はＲＥＦ生成部、１２０はＰＬＬをそれぞれ示す。カプセル分離／ＳＤＨ送出部１０８はバッファ１０９に蓄積したＳＤＨデータを読み出す際に、ＰＬＬ１２０が出力するクロックに同期させてＳＤＨデータを読み出し、ＳＤＨ／ＴＤＭ終端部１１０を介してＳＤＨ／ＳＯＮＥＴ網に出力する。
【００２３】
ここで、ＰＬＬ１２０が使用するリファレンスクロックの生成について説明する。バッファ監視部１１６はバッファ１０９のバッファ使用量を常に監視しており、バッファ使用量をＣＬＫ変動分抽出部１１７に出力する。ＣＬＫ変動分抽出部１１７は、バッファ使用量が予め設定された所定値よりも多くなると、クロックの周波数を速めるように周波数補正部１１８に指示し、逆に、バッファ使用量が予め設定された所定値よりも少なくなると、クロックの周波数を遅めるように周波数補正部１１８に指示する。周波数補正部１１８は、ＣＬＫ変動分抽出部１１７の指示に従って、ＣＬＫ部１０４が出力する装置内クロックを速くしたり遅くしたりして調整し、ＲＥＦ生成部１１９に出力する。ＲＥＦ生成部１１９は、周波数補正部１１８から入力したクロックを分周するなどして、ＰＬＬ１２０のリファレンスクロックを生成する。このようにして、主信号処理部１０２は、バッファ１０９の使用量が増え過ぎたり、減り過ぎたりしないように制御できる。
【００２４】
このように、第１の実施形態では、ＳｏＥ装置１０１は、ＣＬＫ抽出して装置内にクロックを供給するクロック系とは独立して、主信号処理部１０２でバッファ監視を行い、バッファの読み出し専用のＰＬＬ１２０を設けてバッファ１０９の読み出し速度を制御する。従って、バッファ１０９の使用量が一定になるように、ＰＬＬ１２０にフイードバックすることで、クロック系とは独立した細かい制御を行うことができる。これによって、非同期網であるＬＡＮ網を介してマスタクロックを有する同期系のＳＯＮＥＴ／ＳＤＨ伝送網に接続した場合でも、クロックのずれやＬＡＮ網のゆらぎの影響を受けることなく、エラーフリーで通信することができる。
【００２５】
（第２の実施形態）
次に、本発明に係る同期／非同期変換装置の第２の実施形態について、図２を用いて説明する。第１の実施形態のと異なる部分は、ＳｏＥ装置２００の主信号処理部１０２に図１の周波数補正部１１８，ＲＥＦ生成部１１９およびＰＬＬ１２０が無いことと、ＣＬＫ変動分抽出部１１７の出力がＣＬＫ部１０４に入っていることである。また、ＣＬＫ部１０４に新たに周波数補正部２０１が設けられており、主信号処理部１０２のＣＬＫ変動分抽出部１１７の出力は、この周波数補正部２０１に入っている。つまり、第１の実施形態で、主信号処理部１０２で独立して行っていたバッファ１０９の読み出しクロックの制御をＣＬＫ部１０４で兼ねている。上記以外の部分は、第１の実施形態と同じなので、ここでの説明は省略する。
【００２６】
さて、図２において、バッファ監視部１１６からバッファ１０９の使用状況を受けたＣＬＫ変動分抽出部１１７は、第１の実施形態の場合と同様に、バッファ使用量が予め設定された所定値よりも多くなると、クロックの周波数を速めるように周波数補正部２０１に指示し、逆に、バッファ使用量が予め設定された所定値よりも少なくなると、クロックの周波数を遅めるように周波数補正部２０１に指示する。ＣＬＫ部１０４の周波数補正部２０１は、ＣＬＫ変動分抽出部１１７の指示とＣＬＫ抽出部１０３の両方の指示に従って、装置内のクロック発信器（図示せず）が出力する周波数を速くしたり遅くしたりして調整し、ＲＥＦ生成部１２１に出力する。ＲＥＦ生成部１２１は、周波数補正部２０１から入力したクロックを分周するなどして、ＰＬＬ１２２のリファレンスクロックを生成する。ＰＬＬ１２２はこのリファレンスクロックにロックした周波数のクロックをＣＬＫ分配部１２３に出力し、ＣＬＫ分配部１２３からＳｏＥ装置２００内の各部にクロックが供給される。
【００２７】
このように、第２の実施形態において、ＳｏＥ装置２００は、主信号処理部１０２でバッファ監視を行い、ＣＬＫ部１０４のクロック系を利用して、バッファ１０９の読み出しクロックを制御できる。従って、バッファ１０９の使用量が一定になるように、ＰＬＬ１２２にフイードバックでき、非同期網であるＬＡＮ網を介してマスタクロックを有する同期系のＳＯＮＥＴ／ＳＤＨ伝送網に接続した場合でも、クロックのずれやＬＡＮ網のゆらぎの影響を受けることなく、エラーフリーで通信することができる。
【００２８】
（第３の実施形態）
次に、本発明に係る同期／非同期変換装置の第３の実施形態について、図３を用いて説明する。同図はＣＬＫ抽出部１０３の構成を中心に描いたもので、３０１はフレームカウントパラメータテーブル、３０２は受信フレームレート統計処理部、３０３はフレームカウント部をそれぞれ示す。尚、本実施形態のＳｏＥ装置は、第１および第２の実施形態で説明した図１および図２のいずれの構成でも構わない。
【００２９】
図３において、主信号処理部１０２の受信パケット処理部１０７が出力する受信パケット間隔（単位時間当たりの受信フレーム数）に関する情報は、受信フレームレート統計処理部３０２およびフレームカウント部３０３に入力される。受信フレームレート統計処理部３０２は、受信パケット処理部１０７から入力した受信パケット間隔に応じてフレームカウントパラメータテーブル３０１から受信フレーム数をカウントする時間を選択する。例えば、単位時間当たりの受信フレーム数が所定値より多い場合や少ない場合は、受信フレームをカウントする時間を短くし、逆に、単位時間当たりの受信フレーム数が所定値に近い場合は、受信フレームをカウントする時間を長くするようなパラメータを選択して、フレームカウント部３０３に指示する。これを受けたフレームカウント部３０３は、カウントした値をＣＬＫ部１０４に出力し、ＣＬＫ部１０４はこのカウント値に応じて、クロックを速くしたり遅くしたり制御して、装置内の各部にクロックを供給する。
【００３０】
次に、クロック制御処理の流れについて、フローチャートを用いて説明する。図４のフローチャートは、図３のＣＬＫ抽出部１０３内の受信フレームレート統計処理部３０２およびフレームカウント部３０３の処理と、ＣＬＫ部１０４の処理とを示す。
【００３１】
図４において、Ｓ１０１は処理の開始、Ｓ１０２は受信フレーム情報入力処理、Ｓ１０３は受信フレーム情報記憶処理、Ｓ１０４はパラメータ選択処理、Ｓ１０５はフレームカウント処理、Ｓ１０６はカウント値出力処理、Ｓ１０７はカウント比較処理、Ｓ１０８はクロック周波数を上げる処理、Ｓ１０９はクロック周波数を下げる処理、Ｓ１１０は処理の終了をそれぞれ示す。尚、ステップＳ１０２からステップＳ１０４は受信フレームレート統計処理部３０２の処理を示し、ステップＳ１０５とステップＳ１０６はフレームカウント部３０３の処理を示し、ステップＳ１０７からステップＳ１０９はＣＬＫ部１０４の処理をそれぞれ示す。
【００３２】
さて、ステップＳ１０１で処理が開始されると、ステップＳ１０２において、主信号処理部１０２の受信パケット処理部１０７から単位時間当たりの受信フレーム数を入力する。ステップＳ１０３において、ステップＳ１０２で入力した単位時間当たりの受信フレーム数を過去のフレームレートデータ記憶部４０１に記憶する。ステップＳ１０４において、ステップＳ１０３が出力する現在の単位時間当たりの受信フレーム数と過去のフレームレートデータ記憶部４０１に記憶された過去の単位時間当たりの受信フレーム数とからレート変化率を算出して、フレームカウントパラメータテーブル３０１から算出したレート変化率に応じたカウントパラメータを取り出す。ここで、フレームカウントパラメータテーブル３０１には、符号３０５で示したようなテーブルが記憶されている。
【００３３】
テーブル３０５は、例えば、レート変化率が３％未満の場合はカウントパラメータを１時間、レート変化率が３％以上１０％未満の場合はカウントパラメータを３０分、レート変化率が１０％以上３０％未満の場合はカウントパラメータを１０分、レート変化率が３０％以上５０％未満の場合はカウントパラメータを１分、レート変化率が５０％以上の場合はカウントパラメータを１秒、という具合にレート変化率とカウントパラメータとを対応づけている。また、ステップＳ１０４において、過去のフレームレートデータ記憶部４０１に記憶されている過去のフレームレートデータを参照する際に、過去の所定期間、例えば、数日間や数ヶ月間の平均値を参照するように処理しても構わないし、昼間と夜間などに分けて参照するようにしても構わない。過去のフレームレートデータを統計的に処理するのが特徴である。
【００３４】
次に、フレームカウント部３０３の処理に移り、ステップＳ１０５において、ステップＳ１０４で選択されたカウントパラメータに基づいて、受信フレーム数をカウントする。例えば、フレームカウントパラメータが１分であれば、１分間の受信フレーム数をカウントする。ステップＳ１０６において、ステップＳ１０５で所定時間カウントされた受信フレーム数（カウント値）をＣＬＫ部１０４に出力する。
【００３５】
次に、ＣＬＫ部１０４の処理に移り、ステップＳ１０７において、ステップＳ１０６が出力するカウント値と予め設定されている基準値との大小を比較する。基準値より大きい場合、つまり、所定時間内の受信フレーム数が多い場合は、ステップＳ１０８の処理に移る。基準値より小さい場合、つまり、所定時間内の受信フレーム数が少ない場合は、ステップＳ１０９の処理に移る。ステップＳ１０８において、クロック周波数を上げるように処理する。ステップＳ１０９において、クロック周波数を下げるように処理する。ステップＳ１１０において、一連のクロック周波数の制御が終了する。
【００３６】
このように、所定時間内の受信フレーム数が多い場合は、クロック周波数を上げて、バッファ１０９に受信フレームが溜り過ぎないように処理し、所定時間内の受信フレーム数が少ない場合は、クロック周波数を下げて、バッファ１０９の受信フレームが不足し過ぎないように処理するので、バッファ１０９のオーバーフローやアンダーフローが防止され、常に安定して、ＬＡＮ網からＳＤＨ／ＳＯＮＥＴ網にデータを変換することができる。特に、ステップＳ１０５において、受信フレームをカウントする時間をレート変化率によって変えるようにしたので、単位時間当たりの受信フレーム数が急激に変化した場合は、カウントパラメータが小さくなり、短時間での追従が可能となる。逆に、単位時間当たりの受信フレーム数がほとんど変化しない場合は、カウントパラメータを大きくして、長時間でカウントするので、ワンダのような長時間にわたる微妙な変化に対応することができる。
【００３７】
（第４の実施形態）
次に、本発明に係る同期／非同期変換装置の第４の実施形態について説明する。尚、第４の実施形態のブロック図は第３の実施形態の図３と同じなので、説明は省略する。第３の実施形態と異なるのは、クロック制御処理の流れに関する部分で、これをフローチャートを用いて説明する。図５のフローチャートは、図３のＣＬＫ抽出部１０３内の受信フレームレート統計処理部３０２とフレームカウント部３０３の処理と、ＣＬＫ部１０４の処理とを示す。また、第３の実施形態と同じ符号で示した部分は同じ処理を示す。
【００３８】
図５において、ステップＳ６０３は単位時間当たりのフ受信レームレートを算出する処理、Ｓ６０４はレート変化率でフレームカウントパラメータを選択する処理をそれぞれ示す。第３の実施形態のように、過去のフレームレートデータを統計的に処理するのではなく、単純にステップＳ６０３で算出した受信フレームレートを予め設定した基準値と比較してレート変化率を算出する。算出したレート変化率に応じたカウントパラメータをフレームカウントパラメータテーブル３０１のテーブル３０５から選択する。フレームカウント部３０３およびＣＬＫ部１０４で処理する部分は、第３の実施形態と同じである。
【００３９】
このように、受信フレームレートの変化率が大きい場合は、クロック周波数を上げて、バッファ１０９に受信フレームが溜り過ぎないように処理し、受信フレームレートの変化率が小さい場合は、クロック周波数を下げて、バッファ１０９のデータが不足し過ぎないように処理する。このようにして、バッファ１０９のオーバーフローやアンダーフローが防止され、常に安定して、ＬＡＮ網からＳＤＨ／ＳＯＮＥＴ網にデータを変換することができる。
【００４０】
尚、図３のブロック図において、第３の実施形態の図４のクロック制御処理と、第４の実施形態の図５のクロック制御処理とを選択できるようにして、使用状況に応じた動作をさせることも可能である。
（第５の実施形態）
次に、本発明に係る同期／非同期変換装置の第５の実施形態について説明する。図６は第３の実施形態の図３と基本的に同じで、ＣＬＫ抽出部１０３の構成を中心に描いた図である。また、本実施形態のＳｏＥ装置は、第１および第２の実施形態で説明した図１および図２のいずれの構成でも構わない。第３の実施形態と異なる部分は、図３のＣＬＫ抽出部１０３内の受信フレームレート統計処理部３０２の代わりにＣＬＫ抽出パラメータ処理部７０２が配置されていることと、主信号処理部１０２のバッファ監視部１１６の出力がＣＬＫ抽出パラメータ処理部７０２に入力されていることである。
【００４１】
図６において、ＣＬＫ抽出パラメータ処理部７０２は、主信号処理部１０２のバッファ監視部１１６からバッファ１０９の使用量（あるいは残量）を受け取り、使用量に応じてフレームカウントパラメータテーブル３０１から受信フレーム数をカウントする時間を選択する。例えば、ＣＬＫ抽出パラメータ処理部７０２は、バッファ１０９の使用量が予め設定した範囲よりも多い場合や少ない場合は、受信フレームをカウントする時間を短くするフレームカウントパラメータを選択し、逆に、使用量が予め設定した範囲にある場合は、受信フレームをカウントする時間を長くするフレームカウントパラメータを選択して、フレームカウント部３０３に指示する。これを受けたフレームカウント部３０３は、受信パケット処理部１０７の受信フレームをカウントした値をＣＬＫ部１０４に出力し、ＣＬＫ部１０４はこのカウント値に応じて、クロックの速度を制御して、ＳｏＥ装置内の各部にクロックを供給する。
【００４２】
次に、クロック制御処理の流れについて、フローチャートを用いて説明する。図７のフローチャートは、図６のＣＬＫ抽出部１０３内のＣＬＫ抽出パラメータ処理部７０２およびフレームカウント部３０３の処理と、ＣＬＫ部１０４の処理とを示す。
図７において、Ｓ８０２はバッファ１０９の使用量の入力処理、Ｓ８０３はバッファ使用量を記憶する処理、Ｓ８０４はパラメータ選択処理をそれぞれ示す。ステップＳ８０２からステップＳ８０４はＣＬＫ抽出パラメータ処理部７０２の処理を示す。尚、第３の実施形態と同符号の部分は同じ処理を示す。
【００４３】
さて、ステップＳ１０１で処理が開始されると、ステップＳ８０２において、主信号処理部１０２のバッファ監視部１１６からバッファ１０９の使用量を受け取る。ステップＳ８０３において、ステップＳ８０２で入力したバッファ使用量を過去のバッファ使用量データ記憶部８０１に記憶する。ステップＳ８０４において、ステップＳ８０３が出力する現在のバッファ使用量と過去のバッファ使用量データ記憶部８０１に記憶された過去のバッファ使用量とからバッファの使用量の変化率を算出する。さらに、フレームカウントパラメータテーブル３０１から算出したバッファ使用量変化率に応じたカウントパラメータを取り出す。ここで、フレームカウントパラメータテーブル３０１には、符号８０５で示したようなテーブルが記憶されている。
【００４４】
テーブル８０５は、例えば、バッファの使用量変化率が３％未満の場合はカウントパラメータを１時間、使用量変化率が３％以上１０％未満の場合はカウントパラメータを３０分、使用量変化率が１０％以上３０％未満の場合はカウントパラメータを１０分、使用量変化率が３０％以上５０％未満の場合はカウントパラメータを１分、使用量変化率が５０％以上の場合はカウントパラメータを１秒、という具合に使用量変化率とカウントパラメータとを対応づけている。また、ステップＳ８０４において、過去のバッファ使用量データ記憶部８０１に記憶されている過去のバッファ使用量データを参照する際に、過去の所定期間、例えば、数日間や数ヶ月間の平均値を参照するように処理しても構わないし、昼間と夜間などに分けて参照するようにしても構わない。過去のバッファ使用量データを統計的に処理するのが特徴である。
【００４５】
次に、フレームカウント部３０３の処理に移り、ステップＳ１０５において、ステップＳ８０４で選択されたカウントパラメータに基づいて、受信フレーム数をカウントする。ステップＳ１０６以降の処理は、第３の実施形態と同様に行われ、フレームカウントパラメータに応じた時間で受信フレーム数をカウントし、カウント値によってクロック周波数を制御する。つまり、バッファ使用量が多い場合は、ステップＳ１０８でクロック周波数を上げるように処理し、バッファ使用量が少ない場合は、ステップＳ１０９でクロック周波数を下げるように処理する。
【００４６】
このように、主信号処理部１０２のバッファ監視部１１６が出力するバッファ１０９の使用量が多い場合は、クロック周波数を上げて、バッファ１０９に受信フレームが溜り過ぎないように処理し、バッファ１０９の使用量が少ない場合は、クロック周波数を下げて、バッファ１０９の受信フレームが不足し過ぎないように処理するので、バッファ１０９のオーバーフローやアンダーフローが防止され、常に安定して、ＬＡＮ網からＳＤＨ／ＳＯＮＥＴ網にデータを変換することができる。特に、ステップＳ８０４において、受信フレームをカウントする時間をバッファ１０９の使用量の変化率によって変えるようにしたので、単位時間当たりの受信フレーム数が急激に変化した場合は、カウントパラメータが小さくなり、短時間での追従が可能となる。逆に、単位時間当たりの受信フレーム数がほとんど変化しない場合は、カウントパラメータを大きくして、長時間でカウントするので、ワンダのような長時間にわたる微妙な変化に対応することができる。
【００４７】
（第６の実施形態）
次に、本発明に係る同期／非同期変換装置の第６の実施形態について説明する。第６の実施形態のブロック図は第５の実施形態の図７と同じで、ＣＬＫ抽出パラメータ処理部７０２の処理が異なる。図８はクロック制御処理の流れを示すフローチャートで、図７のＣＬＫ抽出部１０３内のＣＬＫ抽出パラメータ処理部７０２およびフレームカウント部３０３の処理と、ＣＬＫ部１０４の処理とを示す。また、第５の実施形態と同じ符号で示した部分は同じ処理を示す。以下、第５の実施形態と異なる部分について説明する。
【００４８】
図８のステップＳ１５２において、主信号処理部１０２のバッファ監視部１１６からバッファ１０９のフロー情報（オーバーフローしたか、アンダーフローしたかを示す情報）を受け取る。ステップＳ１５４において、ステップＳ１５２で入力したフロー情報に基づいて、フレームカウントパラメータテーブル３０１からカウントパラメータを選択する。ここで、フレームカウントパラメータテーブル３０１には、符号８０６で示したようなテーブルが記憶されている。
【００４９】
テーブル８０６は、例えば、バッファのフロー状態がオーバーフローやアンダーフロー状態である場合は、カウントパラメータを１秒とし、バッファのフロー状態がオーバーフローやアンダーフローをしていない場合は、カウントパラメータを１０分として、ステップＳ１０５に選択したフレームカウントパラメータを引き渡す。この後のフレームカウント部３０３およびＣＬＫ部１０４で処理する部分は、第３の実施形態と同様に行われ、フレームカウントパラメータに応じた時間で受信フレーム数をカウントし、カウント値によってクロック周波数を制御する。つまり、フレームカウントパラメータに応じた時間での受信フレーム数が多い場合は、ステップＳ１０８でクロック周波数を上げるように処理し、受信フレーム数が少ない場合は、ステップＳ１０９でクロック周波数を下げるように処理する。
【００５０】
このように、バッファ１０９でオーバーフローやアンダーフローが発生した時は、カウントパラメータを短くして処理するので、迅速にバッファ１０９のオーバーフローやアンダーフローを回避できる。また、バッファ１０９でオーバーフローやアンダーフローが発生していない時は、カウントパラメータを大きくして、長時間でカウントするので、ワンダのような長時間にわたる微妙な変化に対応することができる。
【００５１】
尚、第６の実施形態では、オーバーフローやアンダーフローが発生後に処理するようにしたが、バッファ監視部１１６にオーバーフローやアンダーフローが発生しそうな状態になった時にフロー情報をＣＬＫ抽出パラメータ処理部７０２に渡すようにすれば、バッファ１０９のオーバーフローやアンダーフローを未然に防止することが可能である。
また、図６のブロック図において、第５の実施形態の図７のクロック制御処理と、第６の実施形態の図８のクロック制御処理とを選択できるようにしても構わない。あるいは、第５の実施形態と第６の実施形態とを複合することで、使用状況に応じた動作をさせることも可能である。
【００５２】
以上、第１の実施形態から第６の実施形態まで説明してきたように、本発明に係る同期／非同期変換装置およびクロック制御方法によれば、マスタクロックを有する同期伝送網に接続された同期／非同期変換装置から非同期伝送網を介して送られてきた受信データを、マスタクロックを有しない同期伝送網に接続された同期／非同期変換装置のバッファに蓄積し、バッファの使用量や受信フレームレートの変化率に応じてバッファから読み出すクロックを可変するようにしたので、常に、マスタクロックを有する同期伝送網のクロックに追従させることができ、バッファのオーバーフローやアンダーフローによる伝送エラーを防止することができる。また、ワンダや非同期伝送網で生じたゆらぎによる影響も、バッファから読み出すクロックを制御することで少なくできる。
【００５３】
最初に述べたように、第１から第６の実施形態は、図９のＳｏＥ装置７５４に関するもので、ＬＡＮ網７５３から受け取る受信フレームレートやバッファ使用量などに基づいてＳＤＨデータを再生してＳＤＨ伝送装置７５５やＳＤＨ／ＳＯＮＥＴ網に出力できる。これによって、専用のクロック回線を設けることなく、既設のＳＤＨ／ＳＯＮＥＴ装置をそのまま広域のＬＡＮ網で利用でき、設備コストや通信コストの低減が可能となる。尚、マスタクロックを有する側のＳｏＥ装置７５２は、第１から第６の実施形態で説明したマスタクロックを有しない側のＳｏＥ装置７５４において、クロック制御を行わず、全てマスタＣＬＫ７５６から供給されるクロックに同期して動作すること以外は、図１または図２と同様の構成で実現できる。
【００５４】
（第７の実施形態）
次に、本発明に係る同期／非同期変換装置の第７の実施形態について説明する。第１から第６の実施形態は、マスタクロックを有しない図９のＳｏＥ装置７５４に関するものであったが、本実施形態は、ＳｏＥ装置７５２とＳｏＥ装置７５４を連携させて動作させる構成になっている。図１０において、ＳｏＥ装置７５２およびＳｏＥ装置７５４はクロック制御に関する部分だけ記載しており、それ以外の部分は、図１または図２と同様の構成である。
【００５５】
マスタＣＬＫ７５６を有するＳｏＥ装置７５２において、フレームカウント部７０３は、マスタＣＬＫ７５６のクロックで受信パケット処理部１０７で受け取る受信フレーム数を予め設定された所定時間毎にカウントする。対向装置周波数制御部８５１は、フレームカウント部７０３のカウント値が予め定めた基準値と比較して、多い場合は周波数を下げるように指示する周波数制御情報を、少ない場合は周波数を上げるように指示する周波数制御情報を、ＬＡＮフレーム生成部８５２に出力する。ＬＡＮフレーム生成部８５２は、図１の第１の実施形態のＳＤＨ受信／カプセル化部１１２と送信パケット処理部１１３とを複合した処理を行う部分で、対向装置周波数制御部８５１が出力する周波数制御情報をカプセリングしてＬＡＮパケットとしてＬＡＮ網７５３を介してＳｏＥ装置７５４に送信する。
【００５６】
マスタクロックを有しないＳｏＥ装置７５４において、ＬＡＮ網７５３を介して送られてきた周波数制御情報を含むＬＡＮパケットは、周波数制御情報分離部８５４でカプセル分離され、周波数制御情報が取り出される。周波数制御情報を受け取ったＣＬＫ生成部８５５は、周波数制御情報が周波数を上げるように指示している場合はクロック周波数を上げ、周波数を下げるように指示している場合はクロック周波数を下げてＳｏＥ装置７５４の装置内にクロックを供給する。尚、ＣＬＫ生成部８５５は、図１におけるＣＬＫ抽出部１０３とＣＬＫ部１０４とを複合した処理を行う部分で、周波数制御情報に基づいて、装置内に供給するクロック周波数を制御する。ＬＡＮフレーム生成部８５３はＳｏＥ装置７５２のＬＡＮフレーム生成部８５２と同様に動作し、送信データをカプセリングしてＬＡＮパケットとしてＬＡＮ網７５３を介してＳｏＥ装置７５２に送信する。
【００５７】
このように、ＳｏＥ装置７５４が送出するＬＡＮパケットの受信フレームをＳｏＥ装置７５２のマスタＣＬＫ７５６でカウントすることで、常にマスタＣＬＫ７５６とのずれを正確に計測できる。このずれを無くす方向にＳｏＥ装置７５４のクロックを制御するために、ＳｏＥ装置７５２は、クロックの制御方向を指示する周波数制御情報をからＳｏＥ装置７５４に送るので、ＳｏＥ装置７５４をマスタＣＬＫ７５６に同期させることができる。
【図面の簡単な説明】
【００５８】
【図１】本発明の第１の実施形態に係るＳｏＥ装置のブロック図である。
【図２】本発明の第２の実施形態に係るＳｏＥ装置のブロック図である。
【図３】第３および第４の実施形態のクロック制御部分のブロック図である。
【図４】第３の実施形態のクロック処理のフローチャートである。
【図５】第４の実施形態のクロック処理のフローチャートである。
【図６】第５および第６の実施形態のクロック制御部分のブロック図である。
【図７】第５の実施形態のクロック処理のフローチャートである。
【図８】第６の実施形態のクロック処理のフローチャートである。
【図９】第１乃至第６の実施形態の通信システム全体のブロック図である。
【図１０】第７の実施形態のクロック制御部分のブロック図である。
【図１１】従来の通信システム全体のブロック図である。
【符号の説明】
【００５９】
１０１，２００，７５２，７５４・・・ＳｏＥ装置
１０２・・・主信号処理部
１０３・・・ＣＬＫ抽出部
１０４・・・ＣＬＫ部
１０７・・・受信パケット処理部
１０９・・・バッファ
１１６・・・バッファ監視部
１１７・・・ＣＬＫ変動分抽出部
１１８，２０１・・・周波数補正部
１１９，１２１・・・ＲＥＦ生成部
１２０，１２２・・・ＰＬＬ
３０１・・・フレームカウントパラメータテーブル
３０２・・・受信フレームレート統計処理部
３０３，７０３・・・フレームカウント部
４０１・・・過去のフレームレートデータ記憶部
７０２・・・ＣＬＫ抽出パラメータ処理部
７５６・・・マスタＣＬＫ
８０１・・・過去のバッファ使用量データ記憶部
８５１・・・対向装置周波数制御部
８５２，８５３・・・ＬＡＮフレーム生成部
８５４・・・周波数制御情報分離部
【図１】
2007235217.tif 000003
【図２】
2007235217.tif 000004
【図３】
2007235217.tif 000005
【図４】
2007235217.tif 000006
【図５】
2007235217.tif 000007
【図６】
2007235217.tif 000008
【図７】
2007235217.tif 000009
【図８】
2007235217.tif 000010
【図９】
2007235217.tif 000011
【図１０】
2007235217.tif 000012
【図１１】
2007235217.tif 000013